(57)【特許請求の範囲】
【請求項１】
メインアームの先端に中心軸を鉛直にして植設され、先端を丸めるか或いはテーパを形成すると共に基部にフランジを一体に形成したアームピンと、このアームピンと回動可能に嵌合できる筒体で、アジャストアームの先端に、その中心軸を鉛直面内で傾動可能に装着されたアームピンブッシュとを有し、このアームピンブッシュの内周面にリング収納溝を形成し、このリング収納溝内に、全体の形状がＣ字形で内径がアームピンブッシュのそれよりも小さい連結リングを収納すると共に、アームピンの外周面に断面Ｖ字形の係合溝を形成し、アームピンをアームピンブッシュに嵌合させ、連結リングをリング収納溝と係合溝との間に跨がらせた状態で、アームピンとアームピンブッシュとを軸線方向において拘束するようにし、一方、アームピンとアームブッシュとを連結リングを間に介在させた状態で嵌合させたとき、アームピンブッシュとアームピンのフランジとの間に間隙が生じるように、各部の寸法を設定したことを特徴とするドアクローザにおけるアーム間の継ぎ手装置。
【請求項２】
上記リング収納溝の断面形状がコ字形である請求項１記載のドアクローザにおけるアーム間の継ぎ手装置。
【請求項３】
上記連結リングの断面形状が円形である請求項１記載のドアクローザにおけるアーム間の継ぎ手装置。
【発明の詳細な説明】
【０００１】
【発明の属する技術分野】
この発明は、ドアクローザにおける二つのアーム間の継手装置に関する。更に具体的には、クローザ本体、メインアーム、アジャストアーム及びブラケットを備えて成るドアクローザにおけるメインアームとアジャストアームを連結するための継手装置に関する。
【０００２】
【従来の技術】
従来のこの種の継手装置の一例を図５を参照して説明する。同図に示されたドアクローザは、クローザ本体１、メインアーム２、アジャストアーム３及びブラケット４で構成され、メインアーム２とアジャストアーム３とを連結する継手装置は、メインアーム２の端部に植設された突軸９１の回りにフランジ付きの弾性高分子材料製のブッシュ９２を介し、アジャストアーム３の端部をその嵌め孔をもって嵌め込む。
【０００３】
また、前記ブッシュ９２及びアジャストアーム３の端部が抜け出さないように、フランジ付きの止めねじ９３を、突軸９１の先端部の雌ねじ孔に蝶合させて構成されている。
【０００４】
更に、クローザ本体１及びブラケット４の垂直方向の相対位置が設計値よりずれると継手装置にこじりが生じるので、通常、図５に示すようにアジャストアーム３の先端部に水平回動軸９４を設け、これによりこじりを吸収するようにしている。
【０００５】
【発明が解決しようとする課題】
前述したような従来の継手装置においては、次に示すようになお改善すべき点が見られる。すなわち、一つには、二つのアーム２、３間はドアクローザが工場から出荷されるときは通常仮止めされていて、ドアクローザの取付現場において、止めねじ９３を取り外すことにより、両アーム２、３を一旦分離させてクローザ本体１及びブラケット４を扉１０及び扉枠２０にそれぞれ固定させた後、再び両アーム２、３を止めねじ９３で結合させる。
【０００６】
その為、止めねじのねじ戻し並びにねじ込み作業を要してかなり面倒であり、また、ドアクローザの使用中における止めねじの緩みの問題もある。
【０００７】
そこで、上記の不都合を解消するため、本出願人は、特願平９−３２０４７９号を以て、新規な継ぎ手装置を提案した。
【０００８】
この継ぎ手装置は、メインアームの先端に植設されると共に頂部にテーパ部を形成し、これに続く円筒部の中間に溝部を形成したアームピンと、アームピンの円筒部に回動可能に嵌合し、軸線方向の中間位置に中心軸に関して対称的に一対の円弧状の溝を形成した中空円筒状のアームピンブッシュと、アジャストアームの先端に回動可能に装着され、アームピンブッシュを外側から保持すると共に、巾方向の中間位置に平面部を除いて全長にわたって切欠が形成された二又状のブッシュホルダーと、同じくアジャストアームの先端にブッシュホルダーと同軸に回動可能に装着され、アームピンの小径部を両側から抱きかかえるようにして係合し、かつ、巾方向の動きがアームピンブッシュ及びブッシュホルダーの切欠に拘束された弾性のある二又状のクリップとを有することを特徴とするものである。
【０００９】
この発明は、上記本出願人の先の提案に係る継ぎ手装置を改良し、更に構造を簡単にし、かつ作動を確実にした新規な継ぎ手装置を提供することを目的としている。
【００１０】
【課題を解決するための手段】
上記の目的を達成するため、この発明は、メインアームの先端に中心軸を鉛直にして植設され、先端を丸めるか或いはテーパを形成すると共に基部にフランジを一体に形成したアームピンと、このアームピンと回動可能に嵌合できる筒体で、アジャストアームの先端に、その中心軸を鉛直面内で傾動可能に装着されたアームピンブッシュとを有し、このアームピンブッシュの内周面にリング収納溝を形成し、このリング収納溝内に、全体の形状がＣ字形で内径がアームピンブッシュのそれよりも小さい連結リングを収納すると共に、アームピンの外周面に断面Ｖ字形の係合溝を形成し、アームピンをアームピンブッシュに嵌合させ、連結リングをリング収納溝と係合溝との間に跨がらせた状態で、アームピンとアームピンブッシュとを軸線方向において拘束するようにし、一方、アームピンとアームブッシュとを連結リングを間に介在させた状態で嵌合させたとき、アームピンブッシュとアームピンのフランジとの間に間隙が生じるように、各部の寸法を設定したことを特徴とする。
【００１１】
【実施例】
以下、この発明の一実施例を図１乃至図４を参照して説明する。
図１において符号５はアームピンを示し、このアームピン５は、メーンアーム２の先端において上向きに、すなわちアジャストアーム３に向かって、例えばかしめ等の結合方法によって植設されている。
【００１２】
このアームピン５の先端部（上端部）は、後述するメインアームとアジャストアームとの連結時連結リングを拡開するため、丸められるか或いはテーパが形成されている。
【００１３】
図示の実施例では、図２に示すように、アームピン５の先端部に先細りのテーパが形成されると共に、上端隅部が丸められている。
【００１４】
また、アームピン５の上端部には、断面Ｖ字形の係合溝６が形成されている。この係合溝６の断面形状のＶ字の開角度は、例えば９０度とする。
【００１５】
一方、アジャストアーム３の先端には、筒状のアームピンブッシュ７が装着されている。このアームピンブッシュ７の内径は、上記アームピン５とガタ無く嵌合でき、かつ円滑に回動できるように設定されている。
【００１６】
また、このアームピンブッシュ７は、図３に示すように厚板を断面略鍵穴形に成形したブッシュホルダー８と、このブッシュホルダー８の平行板部及びアジャストアーム３の先端を貫通する前記水平回動軸９４とを介して、アジャストアーム３の先端にその中心軸を傾動可能に装着されている。
【００１７】
ブッシュホルダーの中心軸を傾動可能に装着するのは、前記したように、クローザ本体１及びブラケット４の垂直方向の相対位置が設計値よりずれたときのこじりを解消するためである。
【００１８】
上記アームピンブッシュ７の内周面には、断面が例えばコ字形で全体の形状が円形のリング収納溝９が形成されている。
【００１９】
そして、このリング収納溝９内には、図１及び図４に示すように、断面が円形で全体の形状がＣ字形の連結リング１１が収納されている。
【００２０】
この連結リング１１の内径は、図１に示すように、アームピンブッシュ４の内径よりも小さくなるように設定されている。
【００２１】
また、リング収納溝９の外径、すなわちコ字形の底面が形成する幅の狭い周面の内径は、図１に示すように、連結リング１１がリング収納溝９内で少し拡開できるように設定されている。
【００２２】
上記のように構成されたこの発明の一実施例による継ぎ手装置は、図１に示すようにアームピン５とアームピンブッシュ７とを整合させた後、例えばアームピンブッシュ７の方を矢印に沿って下方に押動し、アームピン５の先端とアームピンブッシュ７の下端開口部とを先ず嵌合させる。
【００２３】
しかる後、更にアームピンブッシュ７を下方に移動させると、今度はアームピン５の先端隅部が連結リング１１の内周部に当接し、両者の間に生じる楔作用により、連結リング１１が拡開してその内周縁がアームピン５の先端部外周面に嵌合するに致る。
【００２４】
更にアームピンブッシュ７が下降すると、連結リング１１とアームピンの係合溝６とが整合し、連結リング１１の弾力により、図２に示すように、連結リング１１が係合溝６内に落込むようにしてこれと係合する。
【００２５】
このようにして、図２に示すように、連結リング１１がアームピンの係合溝６とアームピンブッシュのリング収納溝９の両方に跨がるようにして両者を上下方向において拘束する。
【００２６】
図２に示す装着状態では、連結リング１１と係合溝６との上下方向の相対位置を変えようとする力は、両者の間に生じる楔作用により連結リング１１を拡開しようとする力に変換されるから、余程大きな力を作用させない限り連結リング１１が係合溝６を乗り越えることは困難である。
【００２７】
しかしながら、ある程度以上の力で両者を上下方向に引き離すと、楔作用で連結リング１１が拡開しながら係合溝６の上方の傾斜面を乗り越え、図１に示すようにアームピン５をアームピンブッシュ７から抜き外すことができる。
【００２８】
なお、この発明は、図示の実施例に限定されず、種々に変形して実施することが可能である。
【００２９】
例えば、リング収納溝９の断面形状は、図示のようにコ字形でなくてもよく、例えば連結リング１１を上下方向において挟持する一対の内面の間隔が連結リング１１の上下方向の寸法より少し大きく設定してあれば、リング収納溝９の底面の形状は任意である。
【００３０】
また、連結リング１１の断面形状も、その内周縁がアームピンの係合溝６との間に楔作用が生じさえすれば任意である。
【００３１】
【発明の効果】
以上の説明から明らかなように、この発明は、メインアームの先端に植設され、先端を丸めるか或いはテーパを形成したアームピンと、このアームピンと回動可能に嵌合できる筒体で、アジャストアームの先端に、その中心軸を鉛直面内で傾動可能に装着されたアームピンブッシュとを有し、このアームピンブッシュの内周面にリング収納溝を形成し、このリング収納溝内に、全体の形状がＣ字形の連結リングを収納すると共に、アームピンの外周面に断面Ｖ字形の係合溝を形成し、アームピンをアームピンブッシュに嵌合させ、連結リングをリング収納溝と係合溝との間に跨がらせた状態でアームピンとアームピンブッシュとを軸線方向において拘束するようにしたから、簡単な構造でメインアームとアジャストアームとを確実に連結でき、しかも一動作でこれらの着脱を行える、という優れた効果を奏する。
【図面の簡単な説明】
【図１】この発明の一実施例による継ぎ手装置の一部断面拡大側面図で、連結前の状態を示す。
【図２】この発明の一実施例による継ぎ手装置の一部断面拡大側面図で、連結後の状態を示す。
【図３】ブッシュホルダーの一部断面拡大平面図。
【図４】連結リングの拡大平面図。
【図５】従来のドアクローザにおけるアーム間の継手装置を例示する正面図。
【符号の説明】
１   ドアクローザ本体
２   メインアーム
３   アジャストアーム
４   ブラケット
５  アームピン
６  係合溝
７  アームピンブッシュ
８  ブッシュホルダー
９  リング収納溝
１１  連結リング
【図１】
0003976978.tif 000002
【図２】
0003976978.tif 000003
【図３】
0003976978.tif 000004
【図４】
0003976978.tif 000005
【図５】
0003976978.tif 000006